(57)【要約】【課題】顧客が所有する人体通信端末に記憶された電子マネーの決済を人体通信を利用して行なう自動販売機において、利用者の操作が簡単であって、誤って決済することを防止する自動販売機を提供する。【解決手段】複数の商品選択ボタンに夫々設けられた人体通信用の送受信アンテナと、 前記電子マネーの決済処理を実行する決済手段と、 前記複数の送受信アンテナの内の1つを前記決済手段に通信可能に接続する通信接続手段とを具え、 前記商品選択ボタンが押された時、該押された商品選択ボタンに設けられた送受信アンテナと前記決済手段とを前記通信接続手段により接続し、  予め定められた所定時間内に、再び同じ商品選択ボタンが押された時、前記決済手段により前記押された商品選択ボタンに設けられた送受信アンテナを介して前記人体通信端末と通信して前記電子マネーの決済を行う自動販売機とする。【選択図】図１
2010160684.tif 000002
【特許請求の範囲】
【請求項１】
顧客が所有する人体通信端末に記憶された電子マネーの決済を人体通信を利用して行なう自動販売機において、
前記自動販売機は、複数の商品選択ボタンに夫々設けられた人体通信用の送受信アンテナと、
前記電子マネーの決済処理を実行する決済手段と、
前記複数の送受信アンテナの内の1つを前記決済手段に通信可能に接続する通信接続手段とを具え、
前記商品選択ボタンが押された時、該押された商品選択ボタンに設けられた送受信アンテナと前記決済手段とを前記通信接続手段により接続し、
予め定められた所定時間内に、再び同じ商品選択ボタンが押された時、前記決済手段により前記押された商品選択ボタンに設けられた送受信アンテナを介して前記人体通信端末と通信して前記電子マネーの決済を行うことを特徴とする自動販売機。
【発明の詳細な説明】
【技術分野】
【０００１】
顧客が所有する人体通信端末に記憶された電子マネーの決済を人体通信を利用して行なう自動販売機であって、特に信頼性の高い決済処理を可能とする自動販売機に関する。
【背景技術】
【０００２】
近年、人体を介してデータを伝送する人体通信が提案されている。この人体通信の方式には、送信機側の発信によって人体などの伝送媒体に電界を誘起させ、この電界の変動に信号を載せることで情報を送信し、電界の変化を受信機で検知することで情報を受信する電界方式と、人体に微弱電流を流して通信する電流方式がある。
【０００３】
また、このような人体通信を処理する人体通信モジュールを搭載した小型の端末に電子マネーを記憶して自動販売機の利用者（顧客）が所持し、自動販売機にも人体通信を処理する人体通信モジュールを搭載すると共に、自動販売機の商品選択ボタンに人体通信の送受信の為のアンテナを設け、顧客が商品選択ボタンと触れた時に、利用者の所持する小型の端末と人体を介して通信することで決済する自動販売機が提案されている。（例えば特許文献１（段落００４２乃至００４５および図６と図７）参照）
このような自動販売機は、電子マネー記憶媒体を自動販売機に搭載されたカードＲ／Ｗへかざす事無く商品を購入できるから、顧客にとって自動販売機の決済が簡単である。
【先行技術文献】
【特許文献】
【０００４】
【特許文献１】特開２００６−１７３９１３
【発明の概要】
【発明が解決しようとする課題】
【０００５】
しかし、特許文献１に開示された人体通信によって電子決済をする自動販売機では、人体通信をする端末を所持する利用者が、自動販売機の商品選択ボタンに誤って触ってしまった場合でも決済してしまう虞がある。
【０００６】
本発明は上述した問題に鑑み、簡単な操作で商品の購入が可能であって、なおかつ人体通信端末を所持する自動販売機の利用者（顧客）の意に反した決済を防止できる自動販売機を提供することを目的としている。
【課題を解決するための手段】
【０００７】
上述の問題を解決する為に、本発明の自動販売機は、
顧客が所有する人体通信端末に記憶された電子マネーの決済を人体通信を利用して行なう自動販売機において、
前記自動販売機は、複数の商品選択ボタンに夫々設けられた人体通信用の送受信アンテナと、
前記電子マネーの決済処理を実行する決済手段と、
前記複数の送受信アンテナの内の1つを前記決済手段に通信可能に接続する通信接続手段とを具え、
前記商品選択ボタンが押された時、該押された商品選択ボタンに設けられた送受信アンテナと前記決済手段とを前記通信接続手段により接続し、
予め定められた所定時間内に、再び同じ商品選択ボタンが押された時、前記決済手段により前記押された商品選択ボタンに設けられた送受信アンテナを介して前記人体通信端末と通信して前記電子マネーの決済を行う自動販売機とする。
【発明の効果】
【０００８】
本発明の自動販売機によれば、人体通信端末を所有した顧客に商品選択ボタンを押されたことを検知してから、所定の時間内に再び同じ商品選択ボタンが押されたこと検知した時に、顧客が所持する人体通信端末と通信して電子マネーの決済処理を実行するから、人体通信端末を所有した顧客が間違って商品選択ボタンに触れてしまっただけでは決済しない。従って、人体通信端末を所持する利用者の意に反して決済されることを防止でき、信頼性の高い決済をすることが出来る。
【図面の簡単な説明】
【０００９】
【図１】本発明の１実施例に係る自動販売機に搭載される人体通信のための商品選択ボタンを説明する為の概略構成図。
【図２】本発明の１実施例に係る自動販売機の構成を説明する為のブロック図
【図３】本発明の１実施例に係る人体通信端末の構成を説明するためのブロック図
【図４】本発明の１実施例に係る自動販売機５０の主制御部５１の商品販売処理を説明する為のフロー図
【発明を実施するための形態】
【００１０】
以下、本発明の実施の形態を図面を用いて説明する。
【００１１】
図１は、本発明の１実施例に係る自動販売機の商品選択スイッチを説明する為の概略構成図である。
図１の１ａは、後述する本実施例に係る自動販売機５０に設けられた複数の商品選択ボタン1ａ〜１ｃの内の1つである商品選択ボタン１ａの図である。なお、複数の商品選択ボタン1ａ〜１ｃは、全て同じ構造である。
【００１２】
図１に示すように、商品選択ボタン１ａには、該商品選択ボタン１ａを押下されたことを検知する為のスイッチ２ａを具える。このスイッチ２ａは、線４ａよって、後述する自動販売機５０の主制御５１に接続されており、商品選択ボタンが押下されると押下を示す信号（押下信号）を後述する自動販売機５０の主制御部５１へ伝える。
【００１３】
また、商品選択ボタン１ａの指が触れる部分には、人体通信によって情報を送受信する送受信アンテナ３ａが設けられている。この送受信アンテナ３ａは、後述する自動販売機５０に搭載された人体通信決済装置３０（決済手段）と通信線５ａにより接続されており、この人体通信決済装置３０からの電気信号に応じて生体に電界を誘起させて情報を送信するとともに、後述する顧客が所有する人体通信端末１００から人体を介して伝達される電界を、電気信号へと変換して人体通信決済装置３０へと送信するものである。
なお、送受信アンテナ３ａは、導電性を有する部材等で構成されており、送受信アンテナを保護する為の樹脂のカバー６aで覆われている。
【００１４】
次に、本実施例に係る自動販売機について、図２を用いて説明する。図２は本実施例に係る自動販売機の構成を説明する為のブロック図である。
自動販売機５０の各商品選択ボタン１ａ，１ｂ，１ｃには、それぞれスイッチ２ａ，２ｂ，２ｃが設けられており、各スイッチ２ａ，２ｂ，２ｃは、それぞれ信号線４ａ，４ｂ，４ｃによって、自動販売機５０の主制御部５１と接続されている。各商品選択ボタン１ａ，１ｂ，１ｃが押下されるとスイッチ２ａ，２ｂ，２ｃによって主制御部５１へ押下信号が伝えられる。
【００１５】
また、商品選択ボタン部１ａ，１ｂ，１ｃには、送受信アンテナ３ａ、３ｂ、３ｃがそれぞれ設けられている。この送受信アンテナ３ａ、３ｂ、３ｃ人体通信決済装置３０と通信線５ａ、５ｂ、５ｃによって接続されている。
【００１６】
また、通信線５ａ、５ｂ、５ｃは途中に通信接続手段５４（マルチプレクサ回路）が配置されている。また、通信接続手段５４は、自動販売機５０の主制御部５１と制御線５２によって接続されている。通信接続手段５４は、主制御部５１の指令に応じて送受信アンテナ３ａ、３ｂ、３ｃの内の１つと人体通信決済装置３０とを電気的に接続、あるいは切断するものである。従って、人体通信決済装置３０は、通接続手段５４によって接続された送受信アンテナを介して通信が可能となる。
【００１７】
人体通信決済装置３０は、電子マネーの決済処理を実行する装置であって、制御部３１と人体通信モジュール２０を具えている。
【００１８】
人体通信モジュール２０は、人体通信処理部２２とＩ／Ｏ回路２１を有する。人体通信モジュール２０は、送受信アンテナ３a〜３ｃから送られてくる電気信号を人体通信処理部２２で増幅、雑音除去などの信号処理および波形整形等の処理をし、さらにＩ／Ｏ回路２１を介して制御部３１へと出力する。また、制御部３１からの送信データをＩ／Ｏ回路２１を介して受け取ると、この送信データを送受信アンテナ３ａ〜３ｃに送るものである。
【００１９】
人体通信決済装置３０の制御部３１は、自動販売機５０の主制御部５１から代金の金額を含む決済処理コマンドを受けると後述する自動販売機の利用者が所有する人体通信端末１００に記憶された電子マネーの決済処理を実行する。
人体通信決済装置３０による電子マネーの決済処理を具体的に説明すると、
自動販売機５０の主制御部５１から代金の金額を含む決済処理コマンドを受けると、人体通信決済装置３０は、人体通信装端末１００が記憶する電子マネーの残金を読み出して、自動販売機５０の主制御部５１から送られて来た代金と比較し、人体通信端末１００に決済可能な残金の有無を確認する。そして決済が可能の時には、決済処理を実行して決済完了を示す信号を自動販売機５０の主制御部５１へと送信する。また代金の支払が不可能な場合には、決済不可能を示す信号を自動販売機５０の主制御部５１へ送信する。
【００２０】
次に、上述した本実施例に係る自動販売機５０に対して電子マネーによる代金の支払をする為に利用者が所持する人体通信端末１００について説明する。
図３は、本実施例の人体通信端末１００の構成を説明するためのブロック図である。
人体通信端末１００は、メモリ１０６に電子マネーを記憶し、この電子マネーを人体通信によって人体を介して自動販売機へ支払う端末である。
【００２１】
人体通信端末１００は、生体に誘起されて伝達されてくる電界を受信するとともに、生体に電界を誘起させて生体に情報を伝達する（通信する）送受信アンテナ１０１と、メモリ１０６に記憶された電子マネーの減算（支払）や加算（電子マネーのチャージ）の処理する制御回路１０５と、送受信アンテナ１０１と制御回路１０５の間に接続され送受信アンテナ１０１が受信した電界通信による情報を制御回路１０５側で受信可能な信号へ変換するとともに、制御回路１０５から送られて来た信号を送受信アンテナ１０１を介して人体通信するように処理する人体通信モジュール１０２から構成されている。
【００２２】
さらに人体通信モジュール１０２を具体的に説明すると、人体通信モジュール１０２は、該送受信アンテナ１０１から送られてくる電気信号を人体通信処理部１０３で、増幅、雑音除去などの信号処理および波形整形等の処理をしさらにＩ／Ｏ回路１０４を介して制御回路１０５へと出力する。また、制御回路１０５からの送信データをＩ／Ｏ回路１０４を介して受け取ると、この送信データを送受信アンテナ１０１に送るものである。
【００２３】
このように構成された人体通信端末１００は、自動販売機５０の商品選択ボタン１ａ〜１ｃに設けられた送受信アンテナ３ａ〜３ｃを介して人体通信決済装置３０と通信し、人体通信装置３０の主制御部３１からの指令に応じて代金支払を実行する。
【００２４】
次に、自動販売機５０の主制御部５１の商品販売処理を、図４のフローを参照して説明する。
自動販売機５０の主制御５１は、商品選択ボタン１ａ〜１ｃのどれか1つが押下されるまでは、各送受信アンテナ３ａ〜３ｃと人体通信決済装置３０との接続を切った状態にあり、人体通信による送信も受信も出来ない状態で待機している。
【００２５】
ここで、商品選択ボタン１ａ〜１ｃのどれか1つが押下されると、押された商品選択ボタンからの押下信号が主制御部５１に送られてくる。（ステップ１でyes）
これにより主制御部５１がこの押下信号により商品選択ボタンが押されたことを検知し、図示しないメモリに押下された商品選択ボタンを記憶する。（ステップ２）
【００２６】
さらに、主制御部５１は、通信接続手段５４（マルチプレクサ回路）に対して指示し、押下された商品選択ボタンに設けられた送受信アンテナを、人体通信決済装置３０へ通信可能に接続させる。（ステップ３）
【００２７】
次に、主制御部５１は、最初に商品選択ボタンが押されてから、所定の時間の間に、再び同じ商品選択ボタンが押されるまでの時間を測定するモニタタイマを起動する。本実施例ではモニタタイマは４秒間とする。（ステップ４）
尚、ステップ２，３，４の処理順序は、異なっていても構わない。
【００２８】
ここで、同じ商品選択ボタンが所定の時間内に押されたことを検知すると（おなじ商品選択ボタンからの押下信号を受けると）、（ステップ５でＹｅｓ）押された商品選択ボタンに対応する商品の代金の決済処理コマンドを人体通信決済装置３０へ送る。（ステップ６）
【００２９】
人体通信決済装置３０が決済処理を実行し、主制御部５１が人体通信端末１００から代金を受領した旨の信号を受領すると決済を完了し（ステップ７でＹｅｓ）、通信接続手段５４によって接続している通信線を電気的に切断して人体通信を終了し（ステップ８）、押下された商品選択ボタンに対応する商品を放出し（ステップ９）、販売処理を終了する。
【００３０】
なお、ステップ５において、所定の時間（４秒）が経過しても、同じ商品選択ボタンが押されなかった場合（ステップ１０でＹｅｓ）は、メモリに記憶した商品選択ボタンの番号をクリアにし（ステップ１１）、接続している通信線を電気的に切断し（ステップ１２）、決済処理を終了する。
【００３１】
以上説明したように、本発明の実施例に係る自動販売機５０は、人体通信端末１００を所有した顧客が指で商品選択ボタン１ａ〜１ｃを２回押下することで、決済処理を実行し、商品を放出する。従って顧客が自動販売機で商品を購入する時の操作が簡単である。
【００３２】
さらに、人体通信端末を所有した顧客が間違って商品選択ボタンに触れてしまっただけでは決済しない。従って人体通信端末を所持する利用者の意に反して決済されることを防止でき、信頼性の高い決済をすることが出来る。
【００３３】
また、自動販売機５０は、１回目に商品選択ボタンを押下されたことを検知した時、その押下された商品選択ボタンに設けられた送受信アンテナとの通信を接続して、接続された送受信アンテナとだけ通信するようにしたから、商品販売処理をしていない時（待機状態）において、通信コマンドを送出することや、受信待ちうけ状態とする必要が無く、人体通信モジュールの消費電力を抑えることが出来る。
【００３４】
なお、上記の実施例において、本発明の決済手段は、電子決済処理を実行する制御部３１と人体通信モジュール２０とを一体に備えた人体通信決済装置３０として説明してきたたが、本発明に係る決済手段はこの構成に限定されるものではなく、制御部３１の決済処理を実行する制御部と前記人体通信ジュールとを独立して自動販売機内に配置する構成や、決済処理を自動販売機の主制御５０が実行する構成としても良い。
【００３５】
また、上記の実施例においては、人体通信端末および自動販売機の人体通信決済装置に搭載された人体通信モジュール及び送受信アンテナは、電界通信方式によって通信するものとして説明してきたが、本発明は電界通信方式に限定されるものではなく、電流方式も含む。電流方式の場合には、人体通信モジュール及び送受信アンテナを電流方式とすると共に、商品選択ボタンのカバー６ａ〜６ｃを介さずに、直接送受信アンテナと人体が接触する商品選択ボタンの構成とすればよい。
【符号の説明】
【００３６】
１ａ、１ｂ、１ｃ    商品選択ボタン
２ａ、２ｂ、２ｃ    スイッチ
３ａ、３ｂ、３ｃ    送受信アンテナ
６ａ  カバー
２０  人体通信モジュール
２１  Ｉ／Ｏ回路
２２  人体通信処理部
３０  人体通信決済装置
３１  制御部
５０  自動販売機
５１  主制御部
５４  通信接続手段（マルチプレクサ回路)
１００  人体通信端末
１０１  送受信アンテナ
１０２  人体通信モジュール
１０３  人体通信処理部
１０４  Ｉ／Ｏ回路
１０５  制御部
１０６  メモリ
【図１】
2010160684.tif 000003
【図２】
2010160684.tif 000004
【図３】
2010160684.tif 000005
【図４】
2010160684.tif 000006